(57)【要約】      （修正有）【課題】患者の身体を移動させずに排泄を行うことが可能であり、且つ排泄物受容器をボウル本体から容易に脱離可能であり、排泄物の清掃及び洗浄を便利に行える看護ベッドを提供する。【解決手段】看護ベッド１００は、ベッドと、ベッドボード部材と、ベッドボード部材から分離可能な可動式パッドと、支持フレーム５０と、ボウル本体３０と、排泄物受容器４０と、を備えている。支持フレーム５０は可動式パッドの下方に係合し、患者が排泄を行う際には可動式パッドの第三パッドを取り外し、ボウル本体３０の受面部３１を可動式パッドの排泄孔に正対させ、患者が病院用ベッド上で排泄可能にする。また、洗浄装置６０及び温水供給装置７０をさらに備え、電気ヒーター７４により洗浄用水を適温まで加熱して患者の臀部を洗浄することで病原菌の感染を抑制し、同時にボウル本体３０内に付着した排泄物も洗浄することでボウル本体３０を清潔に保つ。【選択図】図４
0003231450.tif 000002
【実用新案登録請求の範囲】
【請求項１】
フロントフレーム、リアフレーム、及び前記フロントフレームと前記リアフレームとを連結している複数の縦方向のベッドフレーム及び横方向のベッドフレームで構成されているベッドと、
前記ベッド上に設置され、且つ前記フロントフレームと前記リアフレームとの間に位置しているベッドボード部材と、
前記ベッド上に設置され、且つ前記フロントフレームと前記リアフレームとの間に位置し、少なくとも第一パッド及び第二パッドを含み、前記第一パッド及び前記第二パッド中には開口している排泄孔が設けられ、前記排泄孔には容易に取り付け及び取り外し可能な第三パッドが設置されており、前記ベッドボード部材から分離可能な可動式パッドと、
１対の直立ポール及び１対の横方向ロッドを含み、前記１対の横方向ロッドは対称に配置されていると共に前記１対の直立ポールとそれぞれ垂直に連結し、各前記横方向ロッドの自由端は前記横方向のベッドフレームの内側に各枢設され、少なくとも１つの回転ノブは前記横方向のベッドフレームに枢設され、且つ前記横方向ロッドの下縁に係合しており、支持フレームが前記ベッドに装着されていると共に前記直立ポールの下端が床から離間している前記支持フレームと、
上縁は開口を呈する受面部であり、前記受面部の外縁の座シートには溝部が設けられ、前記溝部は前記横方向ロッドの外縁に係合し、前記座シートは前記開口を形成し、前記開口は下方に向けて縮小し、前記座シートの下縁は排出口を呈し、前記排出口にはねじ山が設けられているボウル本体と、
前記ボウル本体の下方に設置され、ボトルを有し、前記ボトルの上縁はボトル口であり、前記ボトルの下縁は閉じた底面であり、前記ボトル口には前記排出口に螺合するねじ山が設けられている排泄物受容器と、
前記フロントフレーム側を前側、前記リアフレーム側を後側と定義すると、前記ボウル本体の前記座シートの前側上方に延伸している前端スプレー孔を有し、一方の前記横方向のベッドフレームに設置されている前端スプレー台座と、前記ボウル本体の前記座シートの後側上方に延伸している後端スプレー孔を有し、他方の前記横方向のベッドフレームに設置されている後端スプレー台座とを含む洗浄装置と、
前記ボウル本体の下方周辺に設置されている貯水バケットを含み、前記貯水バケットの上方には給水口及びふたが設けられ、前記貯水バケットには電気ヒーター及びウォーターポンプが内設され、前記電気ヒーターは電気加熱管により洗浄用水を所定の温度まで加温し、前記ウォーターポンプは前記貯水バケット内の加温された前記洗浄用水を汲み取り、輸送パイプの前端部パイプ及び後端部パイプを経由して前記前端スプレー台座及び前記後端スプレー台座までそれぞれ輸送し、前記前端スプレー孔及び前記後端スプレー孔により患者の臀部を洗浄する温水供給装置と、
を備え、患者が自力で排泄と洗浄を行うことを可能にすることを特徴とする看護ベッド。
【請求項２】
前記支持フレームには前記１対の直立ポールの下端に両端が連結される支持ロッドがさらに設置され、前記支持フレームの前記支持ロッド側が床に向けて枢動すると、前記支持ロッドが床に着地して支持して前記支持フレームの安定性を高め、前記排泄物受容器を安定的に取り外せるようにすることを特徴とする請求項１に記載の看護ベッド。
【請求項３】
前記ボウル本体の前記排出口には内縁に雌ねじが設けられている螺合部が設けられ、前記排泄物受容器の前記ボトル口には前記螺合部に螺合する雄ねじが設けられていることを特徴とする請求項１に記載の看護ベッド。
【請求項４】
前記ボウル本体の前記座シートの表面には、芳香物質が配置されて排泄物の悪臭を消臭する充填溝が設けられていることを特徴とする請求項１に記載の看護ベッド。
【請求項５】
前記フロントフレーム及び前記リアフレームにはそれぞれほぞ部材が設置され、前記縦方向のベッドフレームの端部には前記ほぞ部材と係合する係合溝が設けられ、前記フロントフレーム及び前記リアフレームを容易に着脱可能であることを特徴とする請求項１に記載の看護ベッド。
【請求項６】
前記ベッドの両側には前記ベッドボード部材に接するようにフレーム部が設けられ、前記フレーム部の外縁には上に向けて開口した凹部係合溝が設けられ、前記凹部係合溝の外側には下に向けて延び出た延伸部が設けられ、圧迫部材が前記ベッドボード部材の上側に取り付けられたベッドシーツの両側を前記凹部係合溝内に固定するように嵌入されて係合し、且つ前記ベッドシーツの両側辺も前記延伸部に係合することを特徴とする請求項１に記載の看護ベッド。
【考案の詳細な説明】
【技術分野】
【０００１】
本考案は、患者が自力で排泄と洗浄を行うことを可能にする看護ベッドに関し、更に詳しくは、排泄完了後にベッド上で温水により臀部を洗浄し、且つ排泄物の清掃及び洗浄を便利に行えるようにする看護ベッドに関する。
【背景技術】
【０００２】
差し込み便器は病院用ベッドや家庭内の看護または介護で最も使用されている福祉用具の１つであり、身体が不自由であったり、怪我や手術等でベッド上で排泄しなければならない患者に適用されている。
【先行技術文献】
【特許文献】
【０００３】
【特許文献１】台湾特許出願第Ｉ６７４８８９号公報
【特許文献２】台湾特許出願第Ｉ６６９１０９号公報
【考案の概要】
【考案が解決しようとする課題】
【０００４】
しかしながら、従来の差し込み便器は使用時にまず患者の身体を持ち上げて臀部下方に取り付け、排泄完了後に身体下方から取り外して洗を行わねばならず、使用上非常に不便であった。特に患者が頻繁に排泄を行う場合、差し込み便器の取り付けと取り外しを何度も繰り返さねばならず、看護者または介護者にとって負担が大きく困難なものであった。
【０００５】
また、本考案者は以前、従来の差し込み便器の不便さを改善するために、病院用ベッド下方に固定する差し込み便器を開発した。この差し込み便器のスルーホールには遮蔽蓋が設けられており、遮蔽蓋を前方に移動するとスルーホールを遮蔽し、後方に移動するとスルーホールが露出するようになっている。これにより、先行技術に存在する患者の身体を移動させて病院用ベッドで排泄する際の問題を解決した。
【０００６】
しかし、上述の考案は患者の身体を移動させる不便を改善してはいるが、排泄物を差し込み便器中に溜めておくと、差し込み便器の遮蔽蓋の密閉性が不足しているため、排泄物の悪臭が空気に漂い出し、病室内に悪臭が充満してしまった。このため、どのようにすれば差し込み便器を簡単に取り外して排泄物を清掃及び洗浄できるようになるかが、本考案者が解決を目指して積極的に思案する課題となっていた。
【０００７】
そこで、本考案者は上記の欠点が改善可能と考え、鋭意検討を重ねた結果、合理的設計で上記の課題を効果的に改善する本考案の提案に至った。
【０００８】
本考案は、このような従来の問題に鑑みてなされたものである。上記課題の解決のため、本考案は、患者が自力で排泄と洗浄を行うことを可能にする看護ベッドを提供することを目的とする。すなわち、本考案は患者の身体を移動させずに排泄を行うことが可能であり、且つ排泄物受容器をボウル本体から容易に脱離可能であり、排泄物の清掃及び洗浄を便利に行えるようにする効果を有する。
【０００９】
また、本考案の他の目的は、患者が自力で排泄と洗浄を行うことを可能にする別の看護ベッドを提供することである。つまり、排泄物収集器に付設されている洗浄装置により、患者が排泄後速やかに温水により臀部を洗浄し、病原菌の感染を抑制する効果を有する。
【課題を解決するための手段】
【００１０】
上記課題を解決するために、本考案のある態様の看護ベッドは、
フロントフレーム、リアフレーム、及び前記フロントフレームと前記リアフレームとを連結している複数の縦方向のベッドフレーム及び横方向のベッドフレームで構成されているベッドと、
前記ベッド上に設置され、且つ前記フロントフレームと前記リアフレームとの間に位置しているベッドボード部材と、
前記ベッド上に設置され、且つ前記フロントフレームと前記リアフレームとの間に位置し、少なくとも第一パッド及び第二パッドを含み、前記第一パッド及び前記第二パッド中には開口している排泄孔が設けられ、前記排泄孔には容易に取り付け及び取り外し可能な第三パッドが設置されており、前記ベッドボード部材から分離可能な可動式パッドと、
１対の直立ポール及び１対の横方向ロッドを含み、前記１対の横方向ロッドは対称に配置されていると共に前記１対の直立ポールとそれぞれ垂直に連結し、各前記横方向ロッドの自由端は前記横方向のベッドフレームの内側に各枢設され、少なくとも１つの回転ノブは前記横方向のベッドフレームに枢設され、且つ前記横方向ロッドの下縁に係合しており、支持フレームが前記ベッドに装着されていると共に前記直立ポールの下端が床から離間している前記支持フレームと、
上縁は開口を呈する受面部であり、前記受面部の外縁の座シートには溝部が設けられ、前記溝部は前記横方向ロッドの外縁に係合し、前記座シートは前記開口を形成し、前記開口は下方に向けて縮小し、前記座シートの下縁は排出口を呈し、前記排出口にはねじ山が設けられているボウル本体と、
前記ボウル本体の下方に設置され、ボトルを有し、前記ボトルの上縁はボトル口であり、前記ボトルの下縁は閉じた底面であり、前記ボトル口には前記排出口に螺合するねじ山が設けられている排泄物受容器と、
前記フロントフレーム側を前側、前記リアフレーム側を後側と定義すると、前記ボウル本体の座シートの前側上方に延伸している前端スプレー孔を有し、一方の前記横方向のベッドフレームに設置されている前端スプレー台座と、前記ボウル本体の前記座シートの後側上方に延伸している後端スプレー孔を有し、他方の前記横方向のベッドフレームに設置されている後端スプレー台座とを含む洗浄装置と、
前記ボウル本体の下方周辺に設置されている貯水バケットを含み、前記貯水バケットの上方には給水口及びふたが設けられ、前記貯水バケットには電気ヒーター及びウォーターポンプが内設され、前記電気ヒーターは電気加熱管により洗浄用水を所定の温度まで加温し、前記ウォーターポンプは前記貯水バケット内の加温された前記洗浄用水を汲み取り、輸送パイプの前端部パイプ及び後端部パイプを経由して前記前端スプレー台座及び前記後端スプレー台座までそれぞれ輸送し、前記前端スプレー孔及び前記後端スプレー孔により患者の臀部を洗浄する温水供給装置と、を備え、患者が自力で排泄と洗浄を行うことを可能にする。
【００１１】
＜考案の効果＞
このように、本考案によれば、次のような効果がある。
（１）本考案では、ボウル本体の下縁には排泄物受容器が連結され、ボウル本体は支持フレームにより可動式パッド下方に係合し、患者が排泄する際には第三パッドを取り外してボウル本体の受面部を可動式パッドの排泄孔に正対させることにより、患者が病院用ベッド上で排泄可能にする。排泄完了後に支持ベースを作動させて前記支持フレームを床に向けて枢動させ、支持ロッドを床に着けて床に支持されるようにした後、ボウル本体の座シートを支持フレームの外側に向けて移動させる。これにより、排泄物受容器を容易に回転させて前記ボウル本体から脱離させることができるようになるため、排泄物の清掃及び洗浄作業を行うことが容易になる。
（２）本考案は洗浄装置及び前記温水供給装置をさらに有している。前記電気ヒーターにより洗浄用水を適温まで加熱して患者の臀部を洗浄し、病原菌の感染を抑制すると同時に、前記ボウル本体内に付着した排泄物も洗浄し、前記ボウル本体を清潔に保つ。
【００１２】
本考案の他の特徴については、本明細書及び添付図面の記載により明らかにする。
【図面の簡単な説明】
【００１３】
【図１】本考案の好ましい実施形態に係る看護ベッドを示す分解斜視図である。
【図２】本考案の好ましい実施形態に係る看護ベッドを示す組み合わせ斜視図である。
【図３】本考案の好ましい実施形態に係る看護ベッドを示す組み合わせ側面図である。
【図４】本考案の取り外しやすい機構を示す組み合わせ斜視図である。
【図５Ａ】本考案の温水供給装置を示す外観斜視図である。
【図５Ｂ】本考案の温水供給装置を示す側面断面図である。
【図５Ｃ】本考案の温水供給装置と洗浄装置の関係を示す外観斜視図である。
【図６】本考案の支持フレ−ムの関連機構を示す組み合わせ斜視図である。
【図７】本考案の支持フレ−ムの関連機構を示す側面断面図である。
【図８】本考案の取り外しやすい機構の作動を示す概略斜視図である。
【図９】本考案の第三パッドが除去される概略斜視図である。
【図１０】本考案のベッドボード部材の部分的正面断面図である。
【図１１】本考案のベッドの底部を示す概略斜視図である。
【考案を実施するための形態】
【００１４】
本考案における好ましい実施形態について、添付図面を参照して説明する。尚、以下に説明する実施形態は、特許請求の範囲に記載された本考案の内容を限定するものではない。また、以下に説明される構成の全てが、本考案の必須要件であるとは限らない。
【００１５】
まず、図１から図３を参照する。本考案の「看護ベッド」１００の構造について下述する。
【００１６】
＜ベッド１０＞
ベッド１０は、フロントフレーム１１、リアフレーム１２、前記フロントフレーム１１と前記リアフレーム１２との間に連結されている複数の縦方向のベッドフレーム１３及び横方向のベッドフレーム１４、４組の側面方向の保護板１５、及び４組のベッドホイール１６で構成されている。前記側面方向の保護板１５は縦方向のベッドフレーム１３に設置し、上下に枢動し定位する機能を有している。前記枢動定位機構は従来の技術であり、本考案の訴求点ではないため詳述しない。また、前記フロントフレーム１１及び前記リアフレーム１２にはほぞ部材１７が設置され、前記縦方向のベッドフレーム１３の端部には前記ほぞ部材１７に係合する係合溝１８が設けられ、前記フロントフレーム１１及び前記リアフレーム１２が前記縦方向のベッドフレーム１３に着脱しやすくなっている。ベッドボード部材１９は前記ベッド１０上に設置され、且つ前記フロントフレーム１１と前記リアフレーム１２との間に位置している。
【００１７】
＜前記ベッドボード部材１９から分離可能な可動式パッド２０＞
可動式パッド２０は、前記ベッド１０上に設置され、且つ前記フロントフレーム１１と前記リアフレーム１２との間に位置している。前記可動式パッド２０は少なくとも第一パッド２１及び第二パッド２２を備え、前記第一パッド２１及び第二パッド２２中には開口している排泄孔２３が設けられ、前記排泄孔２３には容易に取り付け及び取り外し可能な第三パッド２４が設置されている。本実施例では、前記第一パッド２１及び第二パッド２２は左右対称に分離可能であってもよいし、一体成形されていてもよい。また、前記ベッド１０は後側に第四パッド２５が設置されている。
【００１８】
＜ボウル本体３０＞
ボウル本体３０は、開口している受面部３１及び前記受面部３１の外縁に設置されている座シート３２を有し、前記座シート３２の下縁には排泄物受容器４０を連結し、且つ支持フレーム５０により前記第三パッド２４下方に係合している。
【００１９】
次に、図４から図６を参照する。前記支持フレーム５０は１対の直立ポール及び１対の横方向ロッドを含み、前記１対の横方向ロッドは対称に配置されていると共に前記１対の直立ポールとそれぞれ垂直に連結している。各前記横方向ロッド５１の自由端５１１はピボット部材５１１（例えば、ねじ）により前記横方向のベッドフレーム１４の内側に各枢設され、少なくとも１つの回転ノブ５３は前記横方向のベッドフレーム１４に枢設され、且つ前記横方向ロッド５１の下縁に係合しており、前記支持フレーム５０が前記ベッド１０に装着されていると共に前記直立ポール５２の下端５２１は床から離間している。本実施例では、前記支持フレーム５０には支持ロッド５４がさらに設置され、これらは１対の前記直立ポール５２の下端に連結して前記支持フレーム５０の剛性を高めている。
【００２０】
前記ボウル本体３０の上縁は開口を呈する受面部３１であり、前記受面部３１の外縁の座シート３２には溝部３３が設けられている。前記溝部３３は前記横方向ロッド５１の外縁に係合し、前記座シート３２は前記開口を形成し、前記開口は下方に向けて縮小し、その下縁は排出口３５を呈している。また、前記排泄物受容器４０のボトル４１の上縁はボトル口４２であり、前記ボトルの下縁は閉じた底面４３であり、且つボトル口４２には前記ボウル本体３０の排出口３５のねじ山に螺合するねじ山が設けられている。
【００２１】
本実施例では、前記横方向のベッドフレーム１４に設置され、且つ前記ボウル本体３０の座シート３２の前側上方に延伸している前端スプレー孔６２を有する前端スプレー台座６１と、他の前記横方向のベッドフレーム１４に設置され、且つ前記ボウル本体３０の座シート３２の後側上方に延伸している後端スプレー孔６４を有する後端スプレー台座６３と、を備える洗浄装置６０がさらに設置されている。すなわち、前記前端スプレー台座６１及び前記後端スプレー台座６３は前記横方向のベッドフレーム１４に固定され、且つ前記ボウル本体３０の揚水洗浄には影響を与えない。
【００２２】
次に、図５Ａから図６を参照する。温水供給装置７０は前記ボウル本体３０の下方周辺に設置されている貯水バケット７１を備え、前記貯水バケット７１上方には給水口７２及びふた７３が設けられ、前記貯水バケット７１には電気ヒーター７４及びウォーターポンプ７５が内設されている。前記電気ヒーター７４は電気加熱管７４１により前記洗浄用水Ｗを所定の温度まで加温し、前記ウォーターポンプ７５は前記貯水バケット７１内の加温された洗浄用水Ｗを汲み取り、輸送パイプ７６の前端部パイプ７６１及び後端部パイプ７６２を経て前記前端スプレー台座６１及び後端スプレー台座６３までそれぞれ輸送し、前記前端スプレー孔６２及び後端スプレー孔６４により患者の臀部を洗浄する。本実施例では、温水供給装置７０はベッド１０下方の所定の箇所に設置される。これはベッド１０に固定されているわけではなく移動可能であり、且つ前記給水口７２から洗浄用水Ｗを随時補充する。また、前記温水供給装置７０は前記ボウル本体３０の下方周辺に設置されるのが好ましい。前記洗浄装置６０に必要な温水を供給し、患者が臀部を快適に洗浄可能にするためでる。
【００２３】
次に、図７を参照する。本実施例では、前記ボウル本体３０の排出口３５には螺合部３６が設けられ、その内縁には雌ねじ３７が設けられ、前記排泄物受容器４０のボトル口４２には前記雌ねじ３７に螺合する雄ねじ４４が設けられ、前記排泄物受容器４０を前記ボウル本体３０の下方に螺合可能にする。また、前記ボウル本体３０の座シート３２の表面には少なくとも充填溝３４が設けられ、その中に芳香物質Ｓが配置されて排泄物の悪臭を消臭する。
【００２４】
これにより、患者が病院用ベッド上で排泄したい場合、図９に示すように、まず前記第三パッド２４を取り外し、前記ボウル本体３０の受面部３１を前記排泄孔２３に正対させる。患者が排泄完了後に前記回転ノブ５３を回して開け、前記支持フレーム５０を床に向けて枢動する。図８に示すように、前記直立ポール５２の下端５２１は床に立設されているが、本考案ではさらに前記直立ポール５２の間に支持ロッド５４を連結することで、前記支持フレーム５０を床に向けて枢動させた後に前記支持ロッド５４を床に着けて支持させることで、剛性を高める。この際、前記ボウル本体３０の座シート３２を前記支持フレーム５０の外側に向けて移動させると、看護者が前記排泄物受容器４０を簡単に回転させて前記ボウル本体３０から脱離させられるようになり、効率的に排泄物の清掃及び前記排泄物受容器４０の洗浄を行うことができる。
【００２５】
本考案では、前記ボウル本体３０の下縁には排泄物受容器４０が連結され、ボウル本体３０は支持フレーム５０によりベッドボード部材２０の第三パッド２４下方に係合している。患者が排泄したい場合、第三パッド２４を取り外し、ボウル本体３０の受面部３１を前記排泄孔２３に正対させるのみで、患者は病院用ベッド上で排泄可能になる。完了後に前記回転ノブ５３を回転して前記支持フレーム５０を床に向けて枢動させ、支持ロッド５４を床に着けて支持させた後、ボウル本体３０の座シート３２を支持フレーム５０の外側に向けて移動させる。この際、排泄物受容器４０を簡単に回転させて前記ボウル本体３０から脱離させられるようになり、効率的に排泄物の清掃及び洗浄作業を行うことができる。
【００２６】
さらに、本考案では、前端スプレー孔６２及び後端スプレー孔６４を備える洗浄装置６０がさらに設置されている。前記前端スプレー台座６１及び前記後端スプレー台座６３は前記横方向のベッドフレーム１４に固定されているため、前記ボウル本体３０の揚水洗浄には影響を与えない。また、前記温水供給装置７０には電気ヒーター７４が設置され、洗浄用水Ｗを適温まで加熱する。前記ウォーターポンプ７５の圧力により前記前端スプレー孔６２及び後端スプレー台座６３まで輸送して患者の臀部を洗浄することで病原菌の感染を抑制すると同時に、前記ボウル本体３０内に付着した排泄物も洗浄することで前記ボウル本体３０を清潔に保つ。
【００２７】
次に、図１０を参照する。本実施例では、前記ベッド１０の両側に前記ベッドボード部材１９に対するフレーム部８０が設けられ、前記ベッドボード部材１９を前記フレーム部８０に便利に定位できるようになっている。前記フレーム部８０の外縁には上向きに凹部の係合溝８１が設けられており、凹部の係合溝８１の外側には下向きに延伸部８２が設けられている。これにより、圧迫部材８３により前記ベッドボード部材１９に設けられたベッドシーツ８４の両側を前記凹部の係合溝８１内に定位させるように嵌入することで前記ベッドシーツ８４の両側辺８４１を前記延伸部８２に係合させることができ、前記ベッドシーツ８４を安定的に定位する効果を発揮する。
【００２８】
図１１は本考案のベッド１０の底部を示す概略斜視図である。本考案は前記ボウル本体３０、排泄物受容器４０、支持フレーム５０、洗浄装置６０、及び温水供給装置７０を備えるものであるが、図１１に示すように、モーター９０、寝返り機構９１をさらに備えることができる。前記モーター９０は寝返り機構９１を作動させるための操作には影響しない。なお前記寝返り機構９１の構造及び動作については、本考案者が先行して出願した特許文献中に記載されている（特許文献１、特許文献２の各明細書参照）。前記寝返り機構９１は本考案の対象ではないため、本明細書では詳述しない。しかしながら、本考案は上記の先行出願特許文献の内容を受け継ぎながら、さらに患者が病院用ベッド上で温水を用いて臀部を洗浄できるように改良したものであるため、上記特許文献１及び２よりも優れた利便性を有する利用者本位のものとなっている。
【００２９】
上記の実施形態は、本考案の理解を容易にするために例示したものであり、本考案を限定して解釈するためのものではない。本考案はその趣旨を逸脱することなく変更、改良され得ると共に、本考案にはその等価物が含まれることは言うまでもない。
【符号の説明】
【００３０】
１０  ベッド
１１  フロントフレーム、１２  リアフレーム、
１３  縦方向のベッドフレーム、１４  横方向のベッドフレーム
１５  側面方向の保護板
１６  ベッドホイール
１７  ほぞ部材
１８  係合溝
１９  ベッドボード部材
２０  可動式パッド、２１  第一パッド、２２  第二パッド、２３  排泄孔、２４  第三パッド、２５  第四パッド
３０  ボウル本体
３１  受面部
３２  座シート
３３  溝部
３４  充填溝
３５  排出口
３６  螺合部
３７  雌ねじ
４０  排泄物受容器、
４１  ボトル、４２  ボトル口、
４３  底面
４４  雄ねじ
５０  支持フレーム
５１  横方向ロッド、５１１  自由端、５１２  ピボット部材
５２  直立ポール、５２１  下端
５３  回転ノブ
５４  支持ロッド
６０  洗浄装置
６１  前端スプレー台座、６２  前端スプレー孔
６３  後端スプレー台座、６４  後端スプレー孔
７０  温水供給装置
７１  貯水バケット
７２  給水口
７３  ふた
７４  電気ヒーター、７４１  電気加熱管
７５  ウォーターポンプ
７６  輸送パイプ、７６１  前端部パイプ、７６２  後端部パイプ
８０  フレーム部
８１  凹部の係合溝
８２  延伸部
８３  圧迫部材
８４  ベッドシーツ、８４１  側辺、
９０  モーター
９１  寝返り機構
１００  看護ベッド
Ｓ  芳香物質
Ｗ  洗浄用水
【図１】
0003231450.tif 000003
【図２】
0003231450.tif 000004
【図３】
0003231450.tif 000005
【図４】
0003231450.tif 000006
【図５Ａ】
0003231450.tif 000007
【図５Ｂ】
0003231450.tif 000008
【図５Ｃ】
0003231450.tif 000009
【図６】
0003231450.tif 000010
【図７】
0003231450.tif 000011
【図８】
0003231450.tif 000012
【図９】
0003231450.tif 000013
【図１０】
0003231450.tif 000014
【図１１】
0003231450.tif 000015